(57)【要約】【課題】駐車場の精算機能を含む駐車決済システムに接続された自動販売機であって、駐車場利用料金の精算後であっても、所定条件下で付加価値を得ることができる自動販売機を提供すること。【解決手段】駐車場利用者の識別情報を取得する駐車カード読取部２３と、取得した識別情報を用いて駐車決済管理サーバ３０にアクセスし、駐車場利用者の駐車利用情報３１を取得する駐車利用情報取得部６１と、駐車カード読取部２３が取得した識別情報を有する駐車場利用者の駐車精算時刻から一定時間以内に自動販売機２の商品を購入した場合、駐車場利用者に付加価値を付与する付加価値付与部６２と、を備える。【選択図】図２
2017134765.tif 000002
【特許請求の範囲】
【請求項１】
駐車場の精算機能を含む駐車決済システムに接続された自動販売機であって、
駐車場利用者の識別情報を取得する識別情報取得部と、
前記識別情報を用いて前記駐車決済システムにアクセスし、前記駐車場利用者の駐車利用情報を取得する駐車利用情報取得部と、
前記識別情報取得部が取得した識別情報を有する前記駐車場利用者の駐車精算時刻から一定時間以内に自動販売機の商品を購入した場合、前記駐車場利用者に付加価値を付与する付加価値付与部と、
を備えたことを特徴とする自動販売機。
【請求項２】
前記付加価値付与部は、前記駐車場利用者の現在までの累積駐車利用時間及び／または現在までの累積駐車利用回数に応じて前記付加価値を増加させることを特徴とする請求項１に記載の自動販売機。
【請求項３】
前記付加価値は、前記駐車場利用者に対するポイント付与及び／または自動販売機で購入する商品の割引であることを特徴とする請求項１に記載の自動販売機。
【請求項４】
前記精算機能を備えたことを特徴とする請求項１または２に記載の自動販売機。
【請求項５】
前記駐車決済システムは、駐車場の空き状況及び／または時間帯に応じて駐車料金を変動させるものであり、
前記駐車決済システムに接続して現在の駐車料金を取得する駐車料金取得部と、
前記駐車料金取得部が取得した現在の駐車料金を表示する駐車料金表示部と、
を備えたことを特徴とする請求項１〜４のいずれか一つに記載の自動販売機。
【発明の詳細な説明】
【技術分野】
【０００１】
本発明は、駐車場の精算機能を含む駐車決済システムに接続された自動販売機であって、駐車場利用料金の精算後であっても、所定条件下で付加価値を得ることができる自動販売機に関する。
【背景技術】
【０００２】
駐車場の精算機の近傍に自動販売機が設置される場合がある。そして、特許文献１では、駐車場の精算機と自動販売機とは、ともに金銭処理機能を有しているため、金銭処理機能等を精算機と自動販売機とが共有できるように、自動販売機に、駐車場の精算機能を付加したものが記載されている。さらに、特許文献１では、駐車利用料金の精算と同時に商品を選択した場合に限り、駐車場利用回数等に応じて商品の割引販売を行うものが記載されている。
【０００３】
また、特許文献２には、駐車場に駐車した駐車時間に応じた駐車ポイントを付与するものが記載されている。さらに、特許文献３には、精算時に、提示した駐車券が真正のものである場合、物品販売機が販売する物品の金額を安くするものが記載されている。
【０００４】
なお、特許文献４には、駐車場の空きが多い時には駐車場料金単価を低く設定し、少ない時は駐車場料金を高く設定するものが記載されている。
【先行技術文献】
【特許文献】
【０００５】
【特許文献１】特開２００１−２２２７４２号公報
【特許文献２】特開２００６−４８４９５号公報
【特許文献３】特開２００２−９２７０９号公報
【特許文献４】特開２００２−２８８６９８号公報
【発明の概要】
【発明が解決しようとする課題】
【０００６】
しかしながら、特許文献１〜３に記載されたものは、駐車利用料金の精算と同時に商品を選択した場合に限り、駐車場利用回数等に応じて商品の割引販売やポイント付与を行うようにしている。したがって、駐車場利用者は、駐車利用料金の精算後、自動販売機で商品を選択して購入する場合、ポイント付与や商品割引などの付加価値を得ることができない。
【０００７】
本発明は、上記に鑑みてなされたものであって、駐車場の精算機能を含む駐車決済システムに接続された自動販売機であって、駐車場利用料金の精算後であっても、所定条件下で付加価値を得ることができる自動販売機を提供することを目的とする。
【課題を解決するための手段】
【０００８】
上述した課題を解決し、目的を達成するために、本発明にかかる自動販売機は、駐車場の精算機能を含む駐車決済システムに接続された自動販売機であって、駐車場利用者の識別情報を取得する識別情報取得部と、前記識別情報を用いて前記駐車決済システムにアクセスし、前記駐車場利用者の駐車利用情報を取得する駐車利用情報取得部と、前記識別情報取得部が取得した識別情報を有する前記駐車場利用者の駐車精算時刻から一定時間以内に自動販売機の商品を購入した場合、前記駐車場利用者に付加価値を付与する付加価値付与部と、を備えたことを特徴とする。
【０００９】
また、本発明にかかる自動販売機は、上記の発明において、前記付加価値付与部は、前記駐車場利用者の現在までの累積駐車利用時間及び／または現在までの累積駐車利用回数に応じて前記付加価値を増加させることを特徴とする。
【００１０】
また、本発明にかかる自動販売機は、上記の発明において、前記付加価値は、前記駐車場利用者に対するポイント付与及び／または自動販売機で購入する商品の割引であることを特徴とする。
【００１１】
また、本発明にかかる自動販売機は、上記の発明において、前記精算機能を備えたことを特徴とする。
【００１２】
また、本発明にかかる自動販売機は、上記の発明において、前記駐車決済システムは、駐車場の空き状況及び／または時間帯に応じて駐車料金を変動させるものであり、前記駐車決済システムに接続して現在の駐車料金を取得する駐車料金取得部と、前記駐車料金取得部が取得した現在の駐車料金を表示する駐車料金表示部と、を備えたことを特徴とする。
【発明の効果】
【００１３】
本発明によれば、付加価値付与部が、識別情報取得部が取得した識別情報を有する駐車場利用者の駐車精算時刻から一定時間以内に自動販売機の商品を購入した場合、前記駐車場利用者に付加価値を付与するようにしている。したがって、駐車場利用料金の精算後であっても、一定時間以内であれば付加価値を得ることができる。
【図面の簡単な説明】
【００１４】
【図１】図１は、本発明の実施の形態１である自動販売機とこれに接続される駐車決済システムの概要構成を示す模式図である。
【図２】図２は、本発明の実施の形態１である自動販売機とこれに接続される駐車決済システムの概要構成を示すブロック図である。
【図３】図３は、精算機による精算処理手順を示すフローチャートである。
【図４】図４は、自動販売機による販売処理手順を示すフローチャートである。
【図５】図５は、本発明の実施の形態２である、精算機の精算機能が付加された自動販売機と自動販売機に接続される駐車決済システムの概要構成を示すブロック図である。
【図６】図６は、本発明の実施の形態２である、自動販売機と自動販売機に接続される駐車決済システムの概要構成を示す模式図である。
【図７】図７は、本発明の実施の形態３である、精算機の精算機能が付加された自動販売機と自動販売機に接続される駐車決済システムの概要構成を示すブロック図である。
【図８】図８は、本発明の実施の形態３である、自動販売機と自動販売機に接続される駐車決済システムの概要構成を示す模式図である。
【発明を実施するための形態】
【００１５】
以下、添付図面を参照してこの発明を実施するための形態について説明する。
【００１６】
（実施の形態１）
［全体構成］
図１は、本発明の実施の形態１である自動販売機２とこれに接続される駐車決済システムの概要構成を示す模式図である。また、図２は、本発明の実施の形態１である自動販売機２とこれに接続される駐車決済システムの概要構成を示すブロック図である。駐車決済システムは、精算機１と駐車決済管理サーバ３０とを有する。自動販売機２は、精算機１の近傍に配置される。また、図１及び図２に示すように、精算機１は、駐車決済管理サーバ３０に、インターネットなどのネットワークを介して接続される。また、自動販売機２は、駐車決済管理サーバ３０にインターネットなどのネットワークを介して接続される。
【００１７】
図１及び図２に示すように、精算機１は、表示部６、精算選択ボタン７、駐車番号入力部８、駐車カード読取部９、金銭処理機構４０、記憶部４２、及び、通信処理部４３が精算機主制御部Ｃ１に接続されている。ここで、駐車場は、ロック板方式である。精算選択ボタン７は、駐車料金の精算を行う際に押下するボタンである。駐車番号入力部８は、テンキーであり、駐車位置の番号を入力するためのものである。駐車カード読取部９は、挿入された駐車カードの会員番号である識別番号を読み取る。金銭処理機構４０は、硬貨処理部や紙幣処理部などであり、紙幣挿入口３、硬貨挿入口４、硬貨支払口５は、金銭処理機構４０の一部である。表示部６は、例えば、精算の案内や駐車料金の表示を行う。記憶部４２は、精算機主制御部Ｃ１が処理した各種情報を保持する。通信処理部４３は、駐車決済管理サーバ３０との通信接続処理を行う。
【００１８】
駐車決済管理サーバ３０は、駐車利用情報３１を有する。駐車利用情報３１は、駐車カードの識別情報ごとに、駐車利用開始時刻、駐車精算時刻、駐車時間、累積駐車利用時間、累積駐車利用回数、現在のポイント数などの各種駐車履歴などが関連付けられて保持される。
【００１９】
自動販売機２は、商品選択ボタン１７、販売機構５４、冷却／加熱機構５５、駐車カード読取部２３、金銭処理機構５０、表示部２４、記憶部５２、及び、通信処理部５３が自販機主制御部Ｃ２に接続されている。また、自販機主制御部Ｃ２は、駐車利用情報取得部６１、付加価値付与部６２、販売制御部６３、表示制御部６４を有する。
【００２０】
商品選択ボタン１７は、商品見本Ｄの下部に配置され、金銭処理機構５０が所定の金額の入金を認識すると、購入可能を示すため、表示制御部６４によって点灯される。販売機構５４は、商品購入の金銭処理が終了した商品を商品取出口２６まで搬出する。冷却／加熱機構５５は、冷却設定された商品収納庫の内部を冷却する一方、加温設定された商品収納庫の内部を加熱する。駐車カード読取部２３は、駐車カード読取部９と同じ構成であり、駐車カードの識別情報を読み取る。金銭処理機構５０は、金銭処理機構４０と同様に、硬貨処理部や紙幣処理部などであり、紙幣挿入口２２、硬貨挿入口２１、硬貨支払口２５は、金銭処理機構５０の一部である。表示部２４は、商品購入に関する各種情報を表示する。記憶部５２は、自販機主制御部Ｃ２が処理した各種情報を保持する。通信処理部５３は、駐車決済管理サーバ３０との通信接続処理を行う。
【００２１】
なお、展示室１２の内部には、商品を展示するためのステージ１５が上下方向に三つ並べて設置してあり、それぞれのステージ１５において商品見本Ｄが横並びに展示される。また、展示室１２の前面側に嵌め込んだ透明な電照板１４には、ステージ１５と対応するように、商品選択ボタン群１６が上下方向に三つ、左右方向に二つ並べて設置してある。なお、上述した商品見本Ｄ及び商品選択ボタン１７などを有する展示室１２は、デジタルサイネージにタッチパネルを組み合わせたものであってもよい。
【００２２】
駐車利用情報取得部６１は、駐車カード読取部２３が読み取った識別情報を用いて、駐車決済管理サーバ３０にアクセスし、この識別情報に対する駐車利用情報３１を取得する。付加価値付与部６２は、取得した駐車利用情報３１の駐車精算時刻から一定時間以内に自動販売機２の商品を購入した場合、駐車場利用者に対して付加価値を付与する。この付加価値は、例えば、ポイント付与や自動販売機で購入する商品の割引である。販売制御部６３は、商品の選択から商品の払出までの一連の販売処理を制御する。表示制御部６４は、販売制御部６３の販売処理に伴う案内を表示部２４に表示したり、商品選択ボタン１７などの点灯制御を行う。
【００２３】
なお、駐車場がゲート方式である場合、精算選択ボタン７及び駐車番号入力部８は、駐車券読取部となる。
【００２４】
また、駐車カード読取部９、２３は、近距離無線通信手段を用いて、スマートフォンやタブレット端末などの携帯情報機器と接続して識別情報を読み取るようにしてもよい。また、駐車カード読取部９、２３は、ＲＦＩＤタグを読み取るＲＦＩＤタグリーダであってもよい。
【００２５】
さらに、金銭処理機構４０、５０は、現金以外に、携帯情報端末を用いた支払、ポイントカードを用いた支払、電子マネーを用いた支払など各種の金銭処理機構であってもよい。
【００２６】
［精算機１の精算処理］
つぎに、図３に示したフローチャートを参照して、精算機１による精算処理について説明する。まず、精算機主制御部Ｃ１は、精算選択ボタン７が押下されたか否かを判断する（ステップＳ１０１）。精算選択ボタン７が押下されない場合（ステップＳ１０１，Ｎｏ）には、ステップＳ１０１の判断処理を繰り返す。
【００２７】
一方、精算選択ボタン７が押下された場合（ステップＳ１０１，Ｙｅｓ）には、さらに駐車番号が入力されたか否かを判断する（ステップＳ１０２）。駐車番号が入力されていない場合（ステップＳ１０２，Ｎｏ）には、ステップＳ１０２の判断処理を繰り返す。
【００２８】
駐車番号が入力された場合（ステップＳ１０２，Ｙｅｓ）には、駐車料金を表示部６に表示する（ステップＳ１０３）。その後、駐車カードが駐車カード読取部９に挿入されているか否かを判断する（ステップＳ１０４）。
【００２９】
駐車カードが挿入されている場合（ステップＳ１０４，Ｙｅｓ）、金銭処理機構５０に入金された金額に対して駐車料金を差し引き、残金を払い出す精算処理を行う（ステップＳ１０５）。さらに、精算機主制御部Ｃ１は、駐車決済管理サーバ３０にアクセスし、精算処理の結果をもとに、駐車利用情報３１の追加、更新を行って（ステップＳ１０６）、本処理を終了する。
【００３０】
一方、駐車カードが挿入されている場合（ステップＳ１０４，Ｎｏ）、金銭処理機構５０に入金された金額に対して駐車料金を差し引き、残金を払い出す精算処理を行って（ステップＳ１０７）、本処理を終了する。
【００３１】
すなわち、精算機１は、精算時に駐車カードが挿入されている場合、駐車カードの識別情報に対応する駐車利用情報の追加、更新を行うようにしている。
【００３２】
［自動販売機２の販売処理］
つぎに、図４に示したフローチャートを参照して、自動販売機２による販売処理について説明する。まず、自販機主制御部Ｃ２は、金銭処理機構５０に入金された金額で購入可能な商品を表示する（ステップＳ２０１）。すなわち、購入可能な商品選択ボタン１７を点灯表示する。その後、商品選択ボタン１７が押下されたか否かを判断する（ステップＳ２０２）。商品選択ボタン１７が押下されていない場合（ステップＳ２０２，Ｎｏ）には、ステップＳ２０２の判断処理を繰り返す。
【００３３】
一方、商品選択ボタン１７が押下された場合（ステップＳ２０２，Ｙｅｓ）には、さらに、駐車カードが駐車カード読取部２３に挿入されているか否かを判断する（ステップＳ２０３）。駐車カードが挿入されている場合（ステップＳ２０３，Ｙｅｓ）には、駐車カード読取部２３は、駐車カードの識別情報を読み取って取得する（ステップＳ２０４）。さらに、駐車利用情報取得部６１は、読み取った識別情報を用いて駐車決済管理サーバ３０にアクセスし、識別情報に対する駐車利用情報３１を取得する（ステップＳ２０５）。さらに、付加価値付与部６２は、取得した駐車利用情報３１内の駐車精算時刻から現在時刻までの時間が一定時間以内か否かを判断する（ステップＳ２０６）。駐車精算時刻から現在時刻までの時間が一定時間以内である場合、付加価値付与部６２は、駐車決済管理サーバ３０にアクセスし、取得した識別情報に対応する駐車利用情報３１内のポイントを付加する（ステップＳ２０７）。その後、販売制御部６３は、商品選択した商品を払い出すとともに釣銭を払い出す販売処理を行って（ステップＳ２０８）、本処理を終了する。
【００３４】
一方、駐車カードが挿入されていない場合（ステップＳ２０３，Ｎｏ）、または、駐車精算時刻から現在時刻までの時間が一定時間以内でない場合（ステップＳ２０６，Ｎｏ）には、付加価値付与部６２がポイントの付加を行わず、販売制御部６３は、商品選択した商品を払い出すとともに釣銭を払い出す販売処理を行って（ステップＳ２０８）、本処理を終了する。
【００３５】
上述したステップＳ２０７で付加されるポイントは、例えば、駐車場を利用しない場合に付与されるポイントを「５」とすると、一定時間である１０分以内に商品購入した場合、さらに「５」ポイントを付与し、合計「１０」ポイントを付与する。
【００３６】
［付加価値の他の例］
上述実施の形態１では、付加価値として駐車カードのポイントを増加するようにしていたが、これに限らず、ステップＳ２０７において商品の購入金額を割り引くようにしてもよい。例えば、商品の通常価格が「１００円」である場合、一定時間である１０分以内に商品購入した場合、商品の価格を５％割り引いて販売する。
【００３７】
また、付加価値付与部６２は、駐車利用情報３１内の累積駐車利用時間、あるいは累積駐車利用回数によって、付加するポイントや商品の割引率を変更するようにしてもよい。例えば、累積駐車利用時間が２４時間であった場合、「１０」ポイント増加して、合計「１５」ポイント付与し、あるいは、割引率を５％とする。また、累積駐車利用時間が４８時間であった場合、「１５」ポイント増加して、合計「２０」ポイント付与し、あるいは、割引率を１０％とする。
【００３８】
なお、付加価値は、ポイント付与と商品の割引との双方であってもよいし、一方だけでもよい。また、付加価値は、累積駐車利用時間、あるいは累積駐車利用回数によってさらにポイントや割引率を上乗せしてもよい。
【００３９】
この実施の形態１では、駐車精算時刻から現在時刻までの時間が一定時間以内に自動販売機２の商品購入を行う場合に付加価値を付与するようにしているので、自動販売機２の商品購入を促進するとともに、駐車場の利用率を向上させることができる。
【００４０】
（実施の形態２）
つぎに、実施の形態２について説明する。図５は、本発明の実施の形態２である、精算機１の精算機能が付加された自動販売機２Ａと自動販売機２Ａに接続される駐車決済システムの概要構成を示すブロック図である。また、図６は、本発明の実施の形態２である、自動販売機２Ａと自動販売機２Ａに接続される駐車決済システムの概要構成を示す模式図である。
【００４１】
図５に示すように、自動販売機２Ａは、自動販売機２に対応し、自動販売機２の精算機主制御部Ｃ１に対応する精算機制御部Ｃ１１が自販機主制御部Ｃ２に接続される。精算機制御部Ｃ１１には、精算選択ボタン７及び駐車番号入力部８が接続される。自動販売機２Ａの通信処理部５３、駐車カード読取部２３、金銭処理機構５０、表示部２４、及び、記憶部５２は、精算機１の通信処理部４３、駐車カード読取部９、金銭処理機構４０、表示部６、記憶部４２の機能を共有化している。
【００４２】
この実施の形態２では、精算機１と自動販売機２との共通構成を共有化することができるので、実施の形態１の構成を簡易な構成で実現することができる。
【００４３】
なお、精算機１と自動販売機２のように各装置が離隔しておらず、駐車カード読取部２３も共用しているため、実施の形態１における一定時間は、短くすることが好ましい。例えば、一定時間は３０秒であることが好ましい。
【００４４】
（実施の形態３）
つぎに、実施の形態３について説明する。図７は、本発明の実施の形態３である、精算機１の精算機能が付加された自動販売機２Ａと自動販売機２Ａに接続される駐車決済システムの概要構成を示すブロック図である。また、図８は、本発明の実施の形態３である、自動販売機２Ａと自動販売機２Ａに接続される駐車決済システムの概要構成を示す模式図である。
【００４５】
図７及び図８に示すように、本実施の形態３では、自動販売機２Ａに、駐車料金表示部５６を設けている。図７に示すように、自動販売機２Ａの自販機主制御部Ｃ２には、さらに駐車料金取得部６５が設けられるとともに、駐車料金表示部５６が自販機主制御部Ｃ２に接続される。また、駐車決済管理サーバ３０には、さらに駐車料金情報３２を有する。
【００４６】
駐車決済管理サーバ３０は、駐車場の空き状況や時間帯によって駐車料金を変動させ、現在の駐車料金を駐車料金情報３２として保持する。一方、駐車料金取得部６５は、所定時間毎に通信処理部５３を介して駐車決済管理サーバ３０にアクセスし、駐車料金情報３２が示す現在の駐車料金をリアルタイムで取得する。自販機主制御部Ｃ２は、駐車料金取得部６５が取得した現在の駐車料金を駐車料金表示部５６に表示出力する。
【００４７】
図８では、駐車料金表示部５６に「現在の駐車料金  ４００円／時間」と表示されている。駐車決済管理サーバ３０は、この現在の駐車料金が、例えば、花火大会開催３時間前であるとすると、花火大会開催２時間前では、駐車場の空きが無くなるため、「現在の駐車料金  １０００円／時間」とする駐車料金の変動設定を行い、この駐車料金が駐車料金表示部５６に表示されることになる。
【００４８】
具体的に、駐車決済管理サーバ３０は、駐車場の空き状況と駐車料金との関係を
８１〜１００％空き  →    ４００円／時間（割引）
５０〜  ８０％空き  →    ５００円／時間（標準価格）
４０〜  ４９％空き  →    ５５０円／時間（割増）
３０〜  ３９％空き  →    ６００円／時間（割増）
２０〜  ２９％空き  →    ７００円／時間（割増）
１０〜  １９％空き  →    ８５０円／時間（割増）
１〜    ９％空き  →  １０００円／時間（割増）
０％空き  →  満車
とし、これらの駐車料金が駐車料金表示部５６に表示される。
【００４９】
従来の駐車料金表示は、看板などに表示されて固定化されていたが、本実施の形態３では、現在の駐車料金を空き状況や時間帯を加味して変動させ、この現在の駐車料金を自動販売機２Ａからリアルタイムで表示するようにしているので、駐車の集中を緩和することができる。また、刻々と変化する駐車料金が自動販売機２Ａに表示されるため、駐車場への集客力を高めることができる。
【００５０】
なお、駐車料金表示部５６は、現在の駐車料金をリアルタイムで変更表示するため、例えば液晶表示であることが好ましい。なお、自動販売機２Ａの商品見本Ｄや商品選択ボタン１７が配置される面をタッチパネルと液晶表示装置とで形成する場合、この液晶表示装置内に駐車料金表示部５６に対応する表示領域を設けることが好ましい。
【００５１】
また、本実施の形態３では、精算機構が搭載された自動販売機２Ａに駐車料金表示部５６を設けるようにしたが、これに限らず、精算機１と自動販売機２とが離隔配置された自動販売機２に駐車料金表示部５６を設けてもよい。
【符号の説明】
【００５２】
１  精算機
２、２Ａ  自動販売機
３  紙幣挿入口
４  硬貨挿入口
５  硬貨支払口
６、２４  表示部
７  精算選択ボタン
８  駐車番号入力部
９、２３  駐車カード読取部
１７  商品選択ボタン
２１  硬貨挿入口
２２  紙幣挿入口
２５  硬貨支払口
２６  商品取出口
３０  駐車決済管理サーバ
３１  駐車利用情報
３２  駐車料金情報
４０、５０  金銭処理機構
４２、５２  記憶部
４３、５３  通信処理部
５４  販売機構
５５  冷却／加熱機構
５６  駐車料金表示部
６１  駐車利用情報取得部
６２  付加価値付与部
６３  販売制御部
６４  表示制御部
６５  駐車料金取得部
Ｃ１  精算機主制御部
Ｃ１１  精算機制御部
Ｃ２  自販機主制御部
Ｄ  商品見本
【図１】
2017134765.tif 000003
【図２】
2017134765.tif 000004
【図３】
2017134765.tif 000005
【図４】
2017134765.tif 000006
【図５】
2017134765.tif 000007
【図６】
2017134765.tif 000008
【図７】
2017134765.tif 000009
【図８】
2017134765.tif 000010